(57)【要約】【課題】放射線画像情報読取装置に対する負担を軽減して安価に構成することができるとともに、エラーに対する所望の対処を迅速に遂行する。【解決手段】ネットワーク２に接続された支援装置３により、放射線画像情報読取装置１０のエラーログ記憶部９４に記憶されたエラーログを収集し、電子マニュアル検索部１０８を起動し、エラーログのエラーコードに対応するコンテンツ及びそれに対する対処方法が記されたトラブルシューティング情報をコンテンツ記憶部１０４及びトラブルシューティング情報記憶部１０６から検索して表示操作部１００に表示させる。【選択図】図１
2005265945.tif 000002
【特許請求の範囲】
【請求項１】
蓄積性蛍光体パネルに蓄積記録された放射線画像情報を読み取る放射線画像情報読取装置の支援システムであって、
前記放射線画像情報読取装置に配設され、前記放射線画像情報読取装置で発生したエラーに係る情報をエラーコードを含むエラーログとして蓄積記憶するエラーログ記憶部と、
前記放射線画像情報読取装置に対して任意に接続可能であり、前記エラーログ記憶部に記憶された前記エラーログを解析し、当該エラーに係るコンテンツ及びそれに対するトラブルシューティング情報を表示する支援装置と、
を備え、
前記支援装置は、
前記エラーコードに対応する前記コンテンツを記憶するコンテンツ記憶部と、
前記エラーコードに対応する前記トラブルシューティング情報を記憶するトラブルシューティング情報記憶部と、
前記エラーコードに基づき、前記コンテンツ及び前記トラブルシューティング情報を検索する検索部と、
前記検索部による検索結果を表示する表示部と、
を備えることを特徴とする放射線画像情報読取装置用支援システム。
【発明の詳細な説明】
【技術分野】
【０００１】
本発明は、蓄積性蛍光体パネルに蓄積記録された放射線画像情報を読み取る放射線画像情報読取装置の支援システムに関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像情報読取装置が知られている。
【０００３】
放射線画像情報読取装置は、例えば、人体等の被写体の放射線画像情報が蓄積記録された蓄積性蛍光体パネルを保持したカセッテが装填されるカセッテ装填部と、蓄積性蛍光体パネルに励起光を照射して放射線画像情報を読み取る読取部と、放射線画像情報の読み取られた蓄積性蛍光体パネルに消去光を照射して残存する放射線画像情報を消去する消去部とを備えて構成される。なお、残存する放射線画像情報の消去処理が完了した蓄積性蛍光体パネルは、カセッテに保持された状態で外部に排出されることにより、再利用に供せられる。
【０００４】
このように構成される放射線画像情報読取装置は、カセッテから蓄積性蛍光体パネルを取り出して搬送する処理機能、蓄積性蛍光体パネルから放射線画像情報を読み取る処理機能、放射線画像情報の読み取られた蓄積性蛍光体パネルに残存する放射線エネルギを除去する処理機能等、多数の複雑な処理機能を備えている。また、当該装置には、通常、動作中に発生するエラーを監視するエラー監視機能も備えられている。
【０００５】
ところで、従来から、エラー監視機能によってエラーが検知された際、ユーザ又はメンテナンス作業員がエラーコード等に基づいて紙媒体からなるマニュアルを調べ、トラブルシューティングを行うのが一般的であるが、マニュアルを検索する作業が非常に煩雑であるだけでなく、装置近傍に最新のマニュアルを常時配備するか、メンテナンス作業員が持参しなければならず、設置スペースの点等においても問題が指摘されている。
【０００６】
そこで、例えば、特許文献１には、プリンタを制御するホスト装置に電子マニュアルシステムを搭載しておき、このホスト装置がプリンタのエラーログを蓄積し、ユーザが電子マニュアルシステムを起動したとき、エラーログに基づいてエラー処理のコンテンツを画面に表示させることで、エラーに対する迅速な対処を可能とする技術が開示されている。
【０００７】
【特許文献１】特開２００３−２５６１０２号公報
【発明の開示】
【発明が解決しようとする課題】
【０００８】
しかしながら、この従来技術では、プリンタを制御するホスト装置に電子マニュアルシステムが搭載されているため、ホスト装置の負担が極めて大きくなるという不具合がある。従って、このような電子マニュアルシステムを複雑な処理機能を有する放射線画像情報読取装置に搭載すると、当該装置に対する負担が増大するとともに、相当に高価なものとなってしまう。
【０００９】
本発明は、前記の課題に鑑みてなされたものであり、放射線画像情報読取装置に対する負担を軽減して安価に構成することができるとともに、エラーに対する所望の対処を迅速に遂行することのできる放射線画像情報読取装置用支援システムを提供することを目的とする。
【課題を解決するための手段】
【００１０】
前記の目的を達成するために、本発明では、エラーコードを含むエラーログを放射線画像情報読取装置のエラーログ記憶部に蓄積記憶し、必要に応じて当該装置に支援装置を接続し、支援装置の検索部により、放射線画像情報読取装置から収集したエラーログのエラーコードに対応するコンテンツをコンテンツ記憶部から検索するとともに、コンテンツに対応するトラブルシューティング情報をトラブルシューティング情報記憶部から検索し、これらを表示部に表示させる。作業者は、表示されたトラブルシューティング情報に基づき、所望の対策を講じることができる（請求項１記載の発明）。
【発明の効果】
【００１１】
本発明によれば、放射線画像情報読取装置がエラーログのみを蓄積記憶する構成とし、必要に応じて支援装置を放射線画像情報読取装置に接続してエラーに対するトラブルシューティングを行うことができるため、エラー処理の迅速性を確保することができるとともに、放射線画像情報読取装置のエラー処理に対する負担が著しく軽減され、放射線画像情報読取装置を簡易で安価に構成することができる。
【発明を実施するための最良の形態】
【００１２】
図１は、本実施形態の放射線画像情報読取装置用支援システム１の構成図である。この放射線画像情報読取装置用支援システム１は、後述する蓄積性蛍光体パネルＩＰに蓄積記録された放射線画像情報を読み取る放射線画像情報読取装置１０と、放射線画像情報読取装置１０にネットワーク２を介して接続可能であり、放射線画像情報読取装置１０のエラーログを収集してトラブルシューティングを行う、いわゆる、電子マニュアルシステムが搭載された支援装置３とから基本的に構成される。
【００１３】
なお、支援装置３は、市販されている比較的安価な汎用コンピュータを用いることができる。また、支援装置３は、ＵＳＢポート等を介して放射線画像情報読取装置１０に直接接続してもよい。さらに、ネットワーク２には、複数の放射線画像情報読取装置１０を接続し、各放射線画像情報読取装置１０からエラーログを収集することができる。
【００１４】
図２は、放射線画像情報読取装置１０の外観図を示し、図３は、放射線画像情報読取装置１０の内部構成図を示す。
【００１５】
放射線画像情報読取装置１０には、放射線画像情報が蓄積記録されたカセッテ１８が装填され、被写体のＩＤ情報及び撮影情報に従って放射線画像情報の読取処理が行われる。なお、被写体である患者の氏名、年齢、性別等からなるＩＤ情報と、撮影部位、撮影条件等からなる撮影情報とは、放射線画像情報の読み取りに先立ち、放射線画像情報読取装置１０に入力される。
【００１６】
放射線画像情報読取装置１０は、ケーシング１２の上部にカセッテ装填部１４を備え、該カセッテ装填部１４に対して、放射線画像情報が蓄積記録された蓄積性蛍光体パネルＩＰを収容したカセッテ１８が装填される。カセッテ装填部１４の側部には、放射線画像情報読取装置１０を起動させる電源ボタン２２と、放射線画像情報読取装置１０の動作状態を表示する表示部２４と、ＩＤ情報及び撮影情報を表示するとともに、各種処理機能を選択するためのメニューを表示する表示部２６と、表示部２６に表示されたメニューから各種処理機能を選択するための選択ボタン５２とが配設される。
【００１７】
放射線画像情報読取装置１０の内部には、カセッテ装填部１４の近傍に、蓋部材５６が開蓋されたカセッテ１８から蓄積性蛍光体パネルＩＰを吸着して取り出す吸着盤５８と、前記吸着盤５８によって取り出された蓄積性蛍光体パネルＩＰを挟持搬送するニップローラ６０とが配設される。ニップローラ６０に連設して、複数の搬送ローラ６２ａ〜６２ｈ及び複数のガイド板６４ａ〜６４ｉを有する湾曲した搬送機構６６が配設される。前記搬送機構６６は、カセッテ１８から供給された蓄積性蛍光体パネルＩＰを所望の部位に搬送する。
【００１８】
放射線画像情報読取装置１０の略中央部には、励起光であるレーザビームＬを導出して蓄積性蛍光体パネルＩＰを走査する走査ユニット６８が配設される。走査ユニット６８には、レーザビームＬを出力するレーザ発振器７０と、前記レーザビームＬを偏向走査する回転多面鏡であるポリゴンミラー７２と、前記レーザビームＬを反射させて蓄積性蛍光体パネルＩＰに導く反射ミラー７４とが配設される。
【００１９】
前記走査ユニット６８から射出されたレーザビームＬは、搬送機構６６を構成する搬送ローラ６２ｄ、６２ｅ間より蓄積性蛍光体パネルＩＰに照射される。なお、図示はしていないが、レーザビームＬを蓄積性蛍光体パネルＩＰに集光させるための集光光学系も配設されていることは勿論である。
【００２０】
走査ユニット６８に近接して読取ユニット７６が配設される。読取ユニット７６は、一端部が搬送ローラ６２ｄ、６２ｅ間の蓄積性蛍光体パネルＩＰに近接して配置される集光ガイド７８と、集光ガイド７８の他端部に連結され、蓄積性蛍光体パネルＩＰから得られた輝尽発光光を電気信号に変換するフォトマルチプライヤ８０とから構成される。なお、本実施形態では、フォトマルチプライヤ８０を、蓄積性蛍光体パネルＩＰの搬送方向と直交する方向に長尺な形態のものとしているが、他の形態のものであってもよい。
【００２１】
ニップローラ６０と搬送機構６６を構成する搬送ローラ６２ａとの間には、放射線画像情報の読み取られた蓄積性蛍光体パネルＩＰに残存する放射線エネルギを除去する消去ユニット８２が配設される。消去ユニット８２は、ハロゲンランプ等からなる複数の消去光源８４を有する。
【００２２】
このように構成される放射線画像情報読取装置１０は、制御部８６によって全体の制御が行われる。制御部８６には、放射線画像情報読取装置１０をネットワーク２に接続するインタフェース（Ｉ／Ｆ）８８と、走査ユニット６８、読取ユニット７６及び消去ユニット８２を制御する読取／消去制御部９０と、読取ユニット７６によって読み取った放射線画像情報を記憶する画像情報記憶部９２と、表示部２４、２６と、放射線画像情報読取装置１０の動作中に発生したエラーをエラーコードを含むエラーログとして蓄積記録するエラーログ記憶部９４とが接続される。
【００２３】
なお、エラーログ記憶部９４には、図４に示すように、制御部８６によって検知されたエラーを特定するエラーコードと、エラーが発生した日時と、エラーの発生部位を特定するためのエラーアドレスとが蓄積記憶される。
【００２４】
一方、ネットワーク２に接続される支援装置３は、制御部９６によって全体の制御が行われる。制御部９６には、支援装置３をネットワーク２に接続するインタフェース（Ｉ／Ｆ）９８と、表示操作部１００と、放射線画像情報読取装置１０からネットワーク２を介して収集したエラーログを記憶するエラーログ記憶部１０２と、エラーコードに対応したエラー内容を示すコンテンツを記憶するコンテンツ記憶部１０４と、エラーコードに対応したトラブルシューティング情報を記憶するトラブルシューティング情報記憶部１０６と、エラーコードに基づいてコンテンツ記憶部１０４及びトラブルシューティング情報記憶部１０６を検索する電子マニュアル検索部１０８とが接続される。
【００２５】
なお、コンテンツ記憶部１０４及びトラブルシューティング情報記憶部１０６には、図５に示すように、エラーログ記憶部１０２から選択されたエラーコードに対応して、エラーの名称であるコンテンツ名と、エラーの詳細な内容であるコンテンツ本文と、エラーに対する対処方法であるトラブルシューティング情報とが蓄積記憶される。この場合、コンテンツ記憶部１０４及びトラブルシューティング情報記憶部１０６は、コンテンツ名及びコンテンツ本文と、トラブルシューティング情報とをエラーコードをキーとして個々に記憶させてもよく、また、図５に示すように、１組のデータとして記憶させておくこともできる。
【００２６】
本実施形態の放射線画像情報読取装置用支援システム１は、基本的には以上のように構成されるものであり、次にその動作並びに作用効果について説明する。
【００２７】
先ず、放射線画像情報読取装置１０の動作について説明する。
【００２８】
技師は、患者の氏名、年齢、性別等のＩＤ情報と、診断に必要な撮影部位、撮影条件等の撮影情報とが設定された放射線画像情報読取装置１０に対して、これらの情報に該当する放射線画像情報が蓄積記録された蓄積性蛍光体パネルＩＰを収納するカセッテ１８を装填する。
【００２９】
カセッテ１８がカセッテ装填部１４に装填されると、図示しない開蓋機構が駆動され、放射線画像情報読取装置１０内において蓋部材５６が開蓋される。次いで、吸着盤５８がカセッテ１８内の蓄積性蛍光体パネルＩＰを吸着枚葉し、ニップローラ６０に供給する。ニップローラ６０は、蓄積性蛍光体パネルＩＰを搬送機構６６に供給する。搬送機構６６は、搬送ローラ６２ａ〜６２ｈを駆動し、蓄積性蛍光体パネルＩＰをガイド板６４ａ〜６４ｉに沿って搬送する。
【００３０】
蓄積性蛍光体パネルＩＰは、搬送ローラ６２ｄ、６２ｅ間で副走査搬送されるとともに、走査ユニット６８から射出された励起光であるレーザビームＬが副走査方向と直交する主走査方向に蓄積性蛍光体パネルＩＰを走査する。すなわち、レーザ発振器７０から出力されたレーザビームＬは、高速で回転するポリゴンミラー７２によって反射偏向された後、反射ミラー７４を介して蓄積性蛍光体パネルＩＰに導かれる。
【００３１】
レーザビームＬが照射された蓄積性蛍光体パネルＩＰは、蓄積記録されている放射線画像情報に応じた輝尽発光光を出力する。この輝尽発光光は、蓄積性蛍光体パネルＩＰの主走査方向に沿って近接配置された集光ガイド７８を介して読取ユニット７６を構成するフォトマルチプライヤ８０に導かれる。蓄積性蛍光体パネルＩＰから読み取られた放射線画像情報は、撮影情報に従った画像処理条件により処理され、画像情報記憶部９２に記憶される。
【００３２】
画像処理された放射線画像情報は、ネットワーク２を介して診察室等に送信されることにより、医師による診断が可能となる。
【００３３】
放射線画像情報の読み取られた蓄積性蛍光体パネルＩＰは、搬送ローラ６２ｈ側まで搬送された後、搬送機構６６により逆転搬送され、ニップローラ６０及び搬送ローラ６２ａ間に配置される消去ユニット８２を介してカセッテ１８に収容される。このとき、消去ユニット８２を構成する消去光源８４が点灯し、出力される消去光が蓄積性蛍光体パネルＩＰに照射されることで、残存する放射線エネルギが除去される。
【００３４】
放射線エネルギの除去された蓄積性蛍光体パネルＩＰを収容したカセッテ１８は、放射線画像情報読取装置１０から排出された後、次なる放射線画像情報の撮影に供される。
【００３５】
ここで、放射線画像情報読取装置１０を構成する制御部８６は、上述した各処理の制御を行うとともに、処理状態の監視を行う。そして、不適切な処理が行われた場合、その処理に係るエラーコードとともに、エラーが発生した日時及びエラーアドレスをエラーログとしてエラーログ記憶部９４に蓄積する（図４参照）。なお、放射線画像情報読取装置１０は、発生したエラーが致命的なものでなければ、蓄積性蛍光体パネルＩＰに対する処理を継続することができる。
【００３６】
一方、致命的なエラーが発生した場合、技師は、放射線画像情報読取装置１０の動作を中断させ、メンテナンス作業員に連絡する。また、致命的なエラーでない場合であっても、技師やメンテナンス作業員によるエラー確認を行うことができる。
【００３７】
そこで、次に、技師自身又はメンテナンス作業員によるエラーの確認及び対処につき、図６に示すフローチャートに従って説明する。
【００３８】
先ず、技師又はメンテナンス作業員は、電子マニュアルを搭載した支援装置３をネットワーク２に接続する。支援装置３は、所望の放射線画像情報読取装置１０のエラーログ記憶部９４に記憶されたエラーログを収集し、エラーログ記憶部１０２に一旦格納する（ステップＳ１）。
【００３９】
次いで、支援装置３の制御部９６は、表示操作部１００にエラーログを表示させる（ステップＳ２）。この場合、表示操作部１００には、図４に示すように、エラーコードと、エラーが発生した日時と、その発生部位を特定したエラーアドレスとが表示される。技師又はメンテナンス作業員は、表示された複数のエラーログから、確認したいエラーログのエラーコードを選択する（ステップＳ３）。
【００４０】
電子マニュアル検索部１０８は、選択されたエラーコードに基づき、コンテンツ記憶部１０４に記憶されたコンテンツ名及びコンテンツ本文を検索し（ステップＳ４）、その検索結果を表示操作部１００に表示する（ステップＳ５）。技師又はメンテナンス作業員は、表示されたコンテンツに従って、エラーの原因を容易に確認することができる。
【００４１】
次に、電子マニュアル検索部１０８は、選択されたエラーコードに基づき、トラブルシューティング情報記憶部１０６に記憶されたトラブルシューティング情報を検索し（ステップＳ６）、その検索結果を表示操作部１００に表示する（ステップＳ７）。この場合、技師又はメンテナンス作業員は、表示されたトラブルシューティング情報に従って、エラーを解消するための方策を確認し、対処することができる。
【図面の簡単な説明】
【００４２】
【図１】本発明の実施形態に係る放射線画像情報読取装置用支援システムの構成ブロック図である。
【図２】図１に示す放射線画像情報読取装置用支援システムが適用される放射線画像情報読取装置の外観図である。
【図３】図２に示す放射線画像情報読取装置の内部構成図である。
【図４】図１に示すエラーログ記憶部に記憶されるエラーログの説明図である。
【図５】図１に示すコンテンツ記憶部及びトラブルシューティング情報記憶部に記憶されるコンテンツ及びトラブルシューティング情報の説明図である。
【図６】図１に示す放射線画像情報読取装置用支援システムにおけるトラブルシューティングの手順を示すフローチャートである。
【符号の説明】
【００４３】
１…放射線画像情報読取装置用支援システム  ３…支援装置
１０…放射線画像情報読取装置              １８…カセッテ
６８…走査ユニット                        ７６…読取ユニット
８２…消去ユニット                        ９４、１０２…エラーログ記憶部
１００…表示操作部                        １０４…コンテンツ記憶部
１０６…トラブルシューティング情報記憶部  １０８…電子マニュアル検索部
ＩＰ…蓄積性蛍光体パネル
【図１】
2005265945.tif 000003
【図２】
2005265945.tif 000004
【図３】
2005265945.tif 000005
【図４】
2005265945.tif 000006
【図５】
2005265945.tif 000007
【図６】
2005265945.tif 000008